(57)【要約】【課題】プレフィルドシリンジを装填して微量注射を行うための、取り扱い容易で製造コストも少なく、反復使用可能な注射器を提供すること。【解決手段】プレフィルドシリンジを挿入できる胴部と、プレフィルドシリンジのガスケットを前進させるための、胴部内に挿入されたピストンロッドと、ピストンロッドを後方へ付勢するばねと、胴部に形成された長手方向スロット及びその中にピストンロッドから延びた突起と、そして指掛け片とを含み、胴部がシリンジ固定手段とを備えるものである、注射器。【選択図】  図１０
2007159717.tif 000002
【特許請求の範囲】
【請求項１】
注射器であって、プレフィルドシリンジを該プレフィルドシリンジの後端側から所定の深さまで挿入することができるように構成された胴部と、
該プレフィルドシリンジのガスケットに当接しこれを後方から押して前進させるための、該胴部内に前後にスライド可能に挿入され該胴部の後方から前方へと押すことができるものであるピストンロッドと、
該ピストンロッドを後方へ付勢する該胴部の内部に設けられたばねと、
該ばねにより後方へ付勢された該ピストンロッドが所定位置を超えて後方へ移動することを阻止する後方ストッパー手段と、そして
該胴部の後部の外周に設けられた指掛け片と
を含み、挿入された該プレフィルドシリンジを所定位置に固定するためのシリンジ固定手段を該胴部に備えるものである、注射器。
【請求項２】
該シリンジ固定手段が、プレフィルドシリンジ保持をする、プレフィルドシリンジとは別体のシリンジ固定部材の側壁周面に設けられたねじと、又はプレフィルドシリンジと一体化したシリンジ固定部材の側壁周面上に設けられたねじと、螺合するねじである、請求項１の注射器。
【請求項３】
該後方ストッパー手段が、該胴部の側壁に形成された少なくとも１本の長手方向のスロットの後端と、該ピストンロッドに設けられた、該スロット内に延びた突起とを含んでなるものである、請求項１又は２の注射器。
【請求項４】
該スロットに沿って目盛りが記されているものである、請求項３の注射器。
【請求項５】
該胴部の外周面に回転可能に螺合した外側筒状部材を更に備えており、該突起が、該外側筒状部材に後方から当接することができるように該スロットから突出しているものである、請求項３又は４の注射器。
【請求項６】
該外側筒状部材と該胴部とが、それらの対向面の何れか一方に等間隔の長手方向窪みを備え、他方に、該長手方向窪みにスナップ式に係合して該外側筒状部材を回すときに脱係合することのできる、弾性的に支持された突起を備えるものである、請求項５の注射器。
【請求項７】
該後方ストッパー手段が、該ピストンロッドの先端付近に形成された第１の外径拡大部と、該第１の外径拡大部の後方において該胴部の内部に形成され、該第１の外径拡大部に後方から当接する内径縮小部によって構成されるものである、請求項１又は２の注射器。
【請求項８】
該胴部内周面に回転可能に螺合して該胴部の後端より後方へ突出した内側筒状部材を更に備えており、該ピストンロッドが該ばねの後方に第２の外径拡大部を有し、該内側筒状部材がその内面に、該外径拡大領域に前方から当接して該ピストンロッドの前進を阻止する内径縮小部を有するものである、請求項１、２又は７の注射器。
【請求項９】
該胴部と該内側筒状部材とが、それらの対抗面の何れか一方に等間隔の長手方向窪みを備え、他方に、該長手方向窪みにスナップ方式に結合して該内側筒状部材を回すとき脱係合することのできる弾性的に支持された突起を備えるものである、請求項８の注射器。
【請求項１０】
該胴部に前後方向の目盛りが付されており、該内側筒状部材の特定部位と位置合わせができるように、該胴部の外側から該内側筒状部材の少なくとも一部が見えているものである、請求項８又は９の注射器。
【請求項１１】
シリンジ固定部材を更に含むものである、請求項１ないし１０の何れかの注射器。
【請求項１２】
プレフィルドシリンジを更に含むものである、請求項１ないし１１の何れかの注射器。
【請求項１３】
該プレフィルドシリンジがルアー先のプレフィルドシリンジであり、該シリンジ固定部材が、該プレフィルドシリンジ先端のオスルアーに装着されるキャップの通過を許容する内径を有するものである、請求項１ないし１２の何れかの注射器。
【請求項１４】
該シリンジ固定部材が、プレフィルドシリンジ先端のオスルアーの周りを取り囲むねじ山を備えた雌ねじつきスリーブを備えたものである、請求項１３の注射器。
【発明の詳細な説明】
【技術分野】
【０００１】
本発明は、注射液が予め充填されたシリンジから注射を行うための注射器に関し、より詳しくは、空になったシリンジを取り外し新たなシリンジに交換して注射を行うことのできる、反復使用可能な注射器、取り分け、微量の注射液の注射に特に適した注射器に関する。
【背景技術】
【０００２】
予め注射液の充填されているシリンジ（「プレフィルドシリンジ」という。）から、注射液を注射するための注射用器具が知られている。プレフィルドシリンジは、（１）後端の開いた円筒状の胴部と、胴部内に液密にスライド可能に嵌められたガスケットを含み、内部に注射液が充填され、先端ノズルがキャップで塞がれたタイプのものと、（２）後端の開いた円筒状の胴部と、胴部内に液密にスライド可能に嵌められたガスケットを含み、内部に注射液が充填され、先端が両頭針を刺入できる隔壁によって塞がれたタイプのものとが、市場に供給されている。（１）のタイプのプレフィルドシリンジの先端ノズルは、通常オスルアーの形態であり、これは注射針や、対応するメスルアーを備えた輸液チューブ、輸液ポンプの接続ポートその他の相手方接続器具に挿入されて液密に結合される（「ルアーフィッティング」という）。相手方接続器具には、単なるルアーフィッティング方式に加えて、例えば輸液チューブへの連結等のために、外力で嵌合が容易に外れることのないよう、メスルアーの周囲をねじ止めする方式（ルアーロック方式）が採用されるようになっているものもある。ルアーロック方式に対応できるシリンジ（プレフィルドシリンジではない）としては、例えば、シリンジの先端のオスルアーの周囲にプラスチック製の雌ねじつきスリーブを装着したものが、知られている（特許文献１の図２を参照）。
【０００３】
プレフィルドシリンジに基づく注射器として、例えば、プレフィルドシリンジの筒内で注射液をスライド可能にシールしているガスケットにピストンロッドの先端部を固定し、プレフィルドシリンジの後端の外方へ張り出した指掛け片（例えば、鍔等）を指で支えてピストンロッドを押すことにより注射を行うものが提案されている（特許文献２参照）。このものはプレフィルドシリンジの後端部に、指を掛けることのできる十分な大きさの鍔が形成されていることを前提としている。しかしながら、微量（例えば、０．１〜０．５ｍＬ）の注射を行うためのプレフィルドシリンジの場合、シリンジ胴部のサイズが非常に小さいが、指掛け片はある程度大きく作る必要があるため、指掛け片を設けると、注射液量に比して注射器全体が不相応に大型化して非常に嵩張ったものになり、複数のプレフィルドシリンジをコンパクトにまとめて包装することが困難となる、という製造、流通及び保管上の不都合がある。従って、指掛け片のない、従って、全体として筒状であって、嵩張らないプレフィルドシリンジを用いて微量注射を行うことのできる注射器が求められている。
【０００４】
また、上記提案に係る注射器は、ピストンロッドの先端部とシリンジの胴部内面との間に隙間がありこれをガスケットが塞ぐ形態であって、ガスケットの形状をピストンロッドの先端部が支持している関係にあることから、ピストンロッドのみを取り去ることはできない。このため、このプレフィルドシリンジは、ピストンロッド付きの状態で供給されなければならない。しかしながら、ピストンロッド付きの状態では、流通時や保管時に嵩張り、包装が大きくなるのみならず、ピストンロッドが不用意に押された場合、注射器内の注射液の内圧が高まってガスケットの周囲の液漏れや、ノズルキャップの脱落及び液の噴出という問題を起こす可能性があり、使用直前までの取り扱いに、十分な注意が必要となる。従って、プレフィルドシリンジは、ピストンロッドを備えないものであることが望ましく、ピストンロッドを備えないプレフィルドシリンジを用いて注射をすることのできる注射器、特に微量の注射液を収容したプレフィルドシリンジを用いて注射をすることのできる注射器が求められている。
【０００５】
また、微量の注射を行うための注射器（本明細書において「微量注射器」という。）には、単回投与すなわち１回の注射でシリンジが廃棄されるものがある一方、同一のシリンジから複数回に分けた一層微量の注射液の注射が行われるものもある。従って、複数回に分けられた注射の各回の注射液量を使用者（例えば、患者）が簡単に設定できる、微量注射に適した注射器も求められている。
【０００６】
また上記のようなプレフィルドシリンジを用いて微量注射をするために使用される注射器は、使い切ったプレフィルドシリンジを新しいプレフィルドシリンジに交換して反復使用できるものであることが、薬剤関連コスト低減の観点から、好ましい。更には、使用者によるシリンジ交換が容易であることが極めて望ましく、また、製造コストを抑制できるよう、構造の簡単なものでこれらの要求を満たすものであることも望ましい。
【０００７】
同じシリンジから複数回の注射を、各々所望液量に設定して注射することができる注射器として、長手方向に沿って細かい歯が設けられたピストンロッドに、それらの歯に係合及び脱係合させることのできる円形のストッパーリングを嵌めておき、これを適宜前後にずらして係合位置を変えることにより、ピストンロッドの押し込み距離を調節するようにしたものが知られている（特許文献３参照）。しかしながら、この注射器は、家畜への３〜１００ｍＬといったかなり大きな液量の注射を想定したものであり、ストッパーリングをずらす方式では、微量注射器での微妙な注射液量調節には適さない。また、この注射器も、ピストンロッドの大径の先端部がガスケット内に嵌ってガスケットの形状を支持している関係にあるため、注射液が充填されている状態ではピストンロッドを取り外すことができず、プレフィルドシリンジにするとピストンロッド付きのものになる、という上述の問題があるほか、微量注射器とするには、指掛け片を相対的に非常に大きくしなければならないという問題もある。
【０００８】
マイクロメーター方式を採用して、押し棒の可動域を設定することで所望量の液体を量り採り排出することのできる装置が知られている（特許文献４参照）。この装置は、シリンジと長いプランジャーとを分離した状態では注射液を保持できず、あくまでも装置を組み立てた状態でシリンジの先端から設定量の液体を吸引し、押し棒を押してこれを排出させるものであるため、プレフィルドシリンジを装填して注射する方式の装置として用いることはできない。また、この装置による注射液量の設定は、設定された可動域までばねでプランジャーを後退させることによって、シリンジ内に吸引される液量を決定するだけのものであり、収容された液量からの排出量を制御することはできない。
【０００９】
やはりマイクロメーター方式を採用してその目盛りにより収容液量を確認しつつ、後端のノブを回すことによってプランジャーを上昇させて目的量の液体を吸引し、その後ノブを回して同液体を排出させる装置が知られている（特許文献５参照）。この装置も、シリンジと長いプランジャーとを分離した状態では注射液を保持できず、あくまでも装置を組み立てた状態でシリンジの先端から液体を吸引し排出するものに過ぎないため、プレフィルドシリンジを装填して注射する装置として用いることはできない。
【００１０】
やはりマイクロメーター方式を採用してストッパーの位置決めをし、ピストンロッドを引いて液体を吸引した後、ストッパーの位置を所望の液体排出量に変更して、ピストンロッドをストッパーに阻止されるまで押して所望の液量に分割して排出するようにした装置が知られている（特許文献６参照）。この装置では、液体を吸引できるようピストンロッドの先端がガスケットと結合されており、従ってシリンジ内の液体の排出につれてピストンロッドの位置が奥まり、分割された複数回の液体排出の各回毎に、装置自体の長さが短縮する。このため身体への注射には使い難く、これに転用するに適さない。
【００１１】
【特許文献１】米国特許第６２５００５２号公報
【特許文献２】実公平５−１７０６８号公報
【特許文献３】米国特許第４２５５７２９号公報
【特許文献４】米国特許第２１２９６７５号公報
【特許文献５】米国特許第２６６０３４２号公報
【特許文献６】米国特許第３８１５７８５号公報
【発明の開示】
【発明が解決しようとする課題】
【００１２】
上記背景において、本発明は、プレフィルドシリンジを装填して注射、特に微量注射を行うための、取り扱いが極めて容易で患者に渡して使用させるのに適し、構造も簡単で従って製造コストも少なくて済む、反復使用可能な注射器を提供することを目的とする。更に本発明は、そのような注射器であって、プレフィルドシリンジから複数回に分けて、所望の微量な液量の注射を行うことのできる注射器を提供することを目的とする。
【課題を解決するための手段】
【００１３】
上記目的のために検討の結果、本発明者は、プレフィルドシリンジを先端側に装填して固定できるようにし、装填されたプレフィルドシリンジのガスケットに当接し後方から押すことができるピストンロッドを、後方へ付勢するためのばねを設けておき、注射後にピストンロッドが所定の後退位置に常に復帰するようストッパーを設けておくことで、この目的に適う注射器が得られることを見出し、更に具体的な検討を重ねて本発明を完成させた。すなわち本発明は以下を提供するものである。
【００１４】
１．注射器であって、プレフィルドシリンジを該プレフィルドシリンジの後端側から所定の深さまで挿入することができるように構成された胴部と、
該プレフィルドシリンジのガスケットに当接しこれを後方から押して前進させるための、該胴部内に前後にスライド可能に挿入され該胴部の後方から前方へと押すことができるものであるピストンロッドと、
該ピストンロッドを後方へ付勢する該胴部の内部に設けられたばねと、
該ばねにより後方へ付勢された該ピストンロッドが所定位置を超えて後方へ移動することを阻止する後方ストッパー手段と、そして
該胴部の後部の外周に設けられた指掛け片と
を含み、挿入された該プレフィルドシリンジを所定位置に固定するためのシリンジ固定手段を該胴部に備えるものである、注射器。
２．該シリンジ固定手段が、プレフィルドシリンジ保持をする、プレフィルドシリンジとは別体のシリンジ固定部材の側壁周面に設けられたねじと、又はプレフィルドシリンジと一体化したシリンジ固定部材の側壁周面上に設けられたねじと、螺合するねじである、上記１の注射器。
３．該後方ストッパー手段が、該胴部の側壁に形成された少なくとも１本の長手方向のスロットの後端と、該ピストンロッドに設けられた、該スロット内に延びた突起とを含んでなるものである、上記１又は２の注射器。
４．該スロットに沿って目盛りが記されているものである、上記３の注射器。
５．該胴部の外周面に回転可能に螺合した外側筒状部材を更に備えており、該突起が、該外側筒状部材に後方から当接することができるように該スロットから突出しているものである、上記３又は４の注射器。
６．該外側筒状部材と該胴部とが、それらの対向面の何れか一方に等間隔の長手方向窪みを備え、他方に、該長手方向窪みにスナップ式に係合して該外側筒状部材を回すときに脱係合することのできる、弾性的に支持された突起を備えるものである、上記５の注射器。
７．該後方ストッパー手段が、該ピストンロッドの先端付近に形成された第１の外径拡大部と、該第１の外径拡大部の後方において該胴部の内部に形成され、該第１の外径拡大部に後方から当接する内径縮小部によって構成されるものである、上記１又は２の注射器。
８．該胴部内周面に回転可能に螺合して該胴部の後端より後方へ突出した内側筒状部材を更に備えており、該ピストンロッドが該ばねの後方に第２の外径拡大部を有し、該内側筒状部材がその内面に、該外径拡大領域に前方から当接して該ピストンロッドの前進を阻止する内径縮小部を有するものである、上記１、２又は７の注射器。
９．該胴部と該内側筒状部材とが、それらの対抗面の何れか一方に等間隔の長手方向窪みを備え、他方に、該長手方向窪みにスナップ方式に結合して該内側筒状部材を回すとき脱係合することのできる弾性的に支持された突起を備えるものである、上記８の注射器。
１０．該胴部に前後方向の目盛りが付されており、該内側筒状部材の特定部位と位置合わせができるように、該胴部の外側から該内側筒状部材の少なくとも一部が見えているものである、上記８又は９の注射器。
１１．シリンジ固定部材を更に含むものである、上記１ないし１０の何れかの注射器。
１２．プレフィルドシリンジを更に含むものである、上記１ないし１１の何れかの注射器。
１３．該プレフィルドシリンジがルアー先のプレフィルドシリンジであり、該シリンジ固定部材が、該プレフィルドシリンジ先端のオスルアーに装着されるキャップの通過を許容する内径を有するものである、上記１ないし１２の何れかの注射器。
１４．該シリンジ固定部材が、プレフィルドシリンジ先端のオスルアーの周りを取り囲むねじ山を備えた雌ねじつきスリーブを備えたものである、上記１３の注射器。
【発明の効果】
【００１５】
上記各構成になる本発明によれば、プレフィルドシリンジを装填して微量注射を行うための操作が、極めて容易であり、特に自家注射をする患者において誤操作の起こりにくい、従ってその面での安全性の高い微量注射器を提供することができる。また、上記各構成になる注射器は、構造が簡単であり、従って製造コストも少なくて済む。また、空になったプレフィルドシリンジの新たなものへの交換が極めて容易であるため、この点でも誤操作のおそれがなく患者に反復使用させる場合の安全性を高めることができる。
【発明を実施するための最良の形態】
【００１６】
本発明において、プレフィルドシリンジは、注射液を充填したルアー先の本体、先端キャプ及びガスケットからなるものと、注射液を充填した本体、両頭針を刺入できる先端の隔壁及びガスケットからなるタイプのものが含まれる。後者のタイプのものでは、先端の隔壁を固定するための部材を、シリンジ固定部材を兼ねるものとして（例えば、胴部に螺合させるためのねじ山を側壁周面に設ける等により）形成することができる。この場合は、シリンジ固定部材はプレフィルドシリンジと一体でありその一部として含まれる。
【００１７】
本発明において、胴部に挿入されたプレフィルドシリンジを固定するためのシリンジ固定部材は、プレフィルドシリンジ及び胴部の双方に固定するものであればよく、その構造は限定されない。プレフィルドシリンジがシリンジ固定部材と別体の場合には、両者の固定には、例えばプレフィルドシリンジの本体部分の先端側の肩（すなわち、シリンジの筒状の本体の先端側周縁部）にシリンジ固定部材が当接するようにシリンジ固定部材の形状を設定すればよい。このためには、例えば、シリンジ固定部材の前部を、プレフィルドシリンジの先端側の肩と嵌合する筒状の形状とし、その先端部内周縁に内方への隆起部分（例えば、環状突起）を設けておけばよい。そのような内方への隆起部分の寸法及び形状は適宜であってよい。プレフィルドシリンジがルアー先のプレフィルドシリンジである場合には、シリンジ固定部材は、プレフィルドシリンジ先端のオスルアーに装着されるキャップの通過を許容する内径を有するものであるのが好ましい。それにより、キャップを外すことなくプレフィルドシリンジをシリンジ固定部材で固定できるからである。
【００１８】
本発明において使用されるプレフィルドシリンジが、ルアー先の（すなわち先端がオスルアーの形態の）ものである場合であって、ルアーロック方式の相手方接続器具に対応させる場合には、プレフィルドシリンジ先端のオスルアーの周りを取り囲むねじ山を備えた雌ねじつきスリーブをシリンジ固定部材に設けておけばよい。ルアーロック方式における注射器の雌ねじ側の寸法は、国際規格（ISO594-2：Conical fittings with a 6% (Luer) taper for syringes, needles and certain other medical equipment- Part 2: Lock fittings）により定められており、雌ねじ内径は、７．２（公差上限：０ｍｍ、公差下限：−０．２ｍｍ）、雌ねじの谷の径は８（公差上限：０ｍｍ、公差下限：−０．１ｍｍ）である。本発明における雌ねじつきスリーブの寸法もこの規格に合わせることが好ましい。本発明において、シリンジ固定部材がルアー先のプレフィルドシリンジとは別体として供給される場合、例えばプレフィルドシリンジ自体にはシリンジ固定部材が固定されておらず、シリンジ固定部材は別個に（例えば、注射器の本体部分と共に）供給されており、プレフィルドシリンジの使用に際しこれを固定部材に挿入した上で、注射器の胴部に固定して用いる形態の場合には、プレフィルドシリンジの先端に装着されたノズルキャップが、シリンジ固定部材を後方から前方の雌ねじつきスリーブ内へと（挿入時）、またその逆方向へと（取り外し時）、通過可能であるよう、ノズルキャップの最も太い部分の外径は、７ｍｍ以下とするのが好ましい。但し、キャップはプレフィルドシリンジのオスルアーを密封する関係上、従来のキャップと同様ゴム等の弾性材料で形成され、このため多少の変形が可能であるから、変形して無理なく通過できるものである限り、７ｍｍより幾分大きな外径を持つことも許容される。
【００１９】
シリンジ固定部材と胴部との固定も適宜であってよい。例えば、シリンジ固定部材の後部が注射装置の胴部の側壁の外周面又は内周面（本明細書において、「内周面」と「外周面」とを併せて、「周面」という。）上に螺合するものとすればよい。これは例えば、シリンジ固定部材の後部が胴部の外周上に螺合するよう、シリンジ固定部材の後部の側壁を、胴部を収容できる寸法の筒状の形状とし、内周面に雌ねじを設け、これに対応する部位の胴部の外周に雄ねじを設けることにより行うことができる。代わりとして、シリンジ固定部材の後部が注射装置の胴部の前端側の内周面上に内側から螺合するようにしてもよい。これは例えば、シリンジ固定部材の後部の側壁を前部と同径の筒状の形状とし、その外周面に雄ねじを設け、胴部の少なくとも前部を、シリンジ固定部材の後部を収容できる寸法の筒状の形状としその内周面に、シリンジ固定部材の雄ねじに対応する雌ねじを設けておけばよい。なお、プレフィルドシリンジがシリンジ固定部材を一体として含む場合も、シリンジ固定部材の注射器の胴部への固定については、上記と同様である。
【００２０】
本発明において、「胴部」は、プレフィルドシリンジをその後端側から所定の深さまで挿入することができ、且つ、ピストンロッドを前後にスライド可能に挿入することができるものである限り、その形状は特に限定されない。通常は筒状であり、概略円筒状とするのが好ましいが、必ずしもこれに限られず、プレフィルドシリンジを収容できる大きさの正六角形、正方形等の多角形その他の非円形の横断面を有する筒状としてもよく、また、例えば胴部の前半部と後半部とで横断面形状を異にしてもよい。シリンジ固定部材がプレフィルドシリンジと別体である場合には、必要に応じプレフィルドシリンジが胴部に一定の深さ以上に挿入できないようにするために、胴部の内側にプレフィルドシリンジの後端の縁に当接してその後退を阻止する突起、例えば環状の１個の突起又は分離した１個又は複数個の突起を設けておけばよい。胴部の先端に対するそのような突起の位置は、シリンジ固定部材によって固定されるときのプレフィルドシリンジの後端位置に合わせればよい。
【００２１】
本発明においては、ピストンロッドの先端はプレフィルドシリンジのガスケットに当接して押すことはできるが、相互に結合されておらず、ばねの力によりピストンロッドが最も後退した位置へと後方へスライドするときにガスケットを後方へ牽くことはないから、プレフィルドシリンジが先端から空気を吸引するおそれはない。本明細書において「ピストンロッド」は、プレフィルドシリンジのガスケットに当接する先端部から、胴部の後方より親指で押される後端部までを含む、一体として前後移動する部材の全体をいう。ピストンロッドを後方へ付勢するために胴部の内部に設けられるばねは、好ましくは、つる巻きばねであり、ピストンロッドをその中に通した状態で配置される。つる巻きばねとピストンロッドとが力を及ぼしあうためには、例えば、ばねの後端がピストンロッドの適宜の部位に当接するよう、その部位から後方のピストンロッドの外周をばねの内径より大きくしておくか、又はその部位にばねの内径よりも大きな外径の環状突起若しくはそのような高さまで突出した１個または複数個の突起等の外径拡大部を設けておけばよい。つる巻きばねの前端に当接する構造も適宜であってよく、例えば、胴部の内側の適宜な位置に内方へ向けて設けられた突起等の内径縮小部であってよい。そのような突起は、プレフィルドシリンジの後端の縁に当接する前記突起と同一のものであっても、またこれより後方に別途設けられたものであってもよい。
【００２２】
ばねにより後方へ付勢された該ピストンロッドが所定位置を超えて後方へ移動することを阻止する後方ストッパー手段は、ピストンロッドが最も後退した位置において、ピストンロッドの一部に当接してそれ以上の後退を阻止する如何なる形態のものであってもよい。例えば、ピストンロッドの先端部に側方へ向かう突起（例えば、環状突起）を設ける等により先端部の外径を拡大させておき、胴部の内面に形成された内方への突起（例えば環状突起）等の内径縮小部の縁と当接させるようにすることができる。また、胴部の側壁に長手方向のスロットを形成すると共に、ピストンロッドの適宜の部位（例えば、ばねの後方）に側方へ向かう突起を形成しておき、突起がスロットの後端に当接してピストンロッドのそれ以上の後退を阻止する形態としてもよい。スロットの後端の代わりに狭窄部設けてこれに突起を当接させてもよく、またスロットから突出した突起先端部に後方から当接するようにスロット上を横断するブロックを形成しておいてもよい。更には、突起の先端を収容するために、スロットに代えて胴部の側壁内面に長手方向の所定長さの溝を形成し、突起が溝の後端に当接してピストンロッドのそれ以上の後退を阻止する形態としてもよい。
【００２３】
本発明の注射器において、１本のプレフィルドシリンジからの複数回に分けた反復注射を行うためには、注射器は、各回の注射においてピストンロッドの可動域を所望の範囲に限定するためには、例えば、ピストンロッドに形成された突起と、前後に移動させて位置を調節できる筒状の部材とを当接させることによればよく、これは例えば、胴部に螺合し、回すことによって前後に位置決めすることのできる筒状の部材を、胴部の外側又は内側に設けることによって行うことができる。胴部の外側にそのような筒状部材（外側筒状部材）を備える場合には、例えば、胴部に長手方向のスロットを設けておき、ピストンロッドに、スロットを通って外側筒状部材に後方から当接するようにしておけばよい。胴部の内側にそのような筒状部材（内側筒状部材）を備える場合には、例えば、ピストンロッドに突起（例えば、環状突起若しくは１個又は複数個の突起）その他の外径拡大部を形成して内側筒状部材の内面に沿ってピストンロッド全体と共に前後移動させるようにし、内側筒状部材には内方への突起（例えば、環状突起若しくは１個又は複数個の突起）その他の内径縮小部を形成しておき、ピストンロッドの外径拡大部が内側筒状部材の内径縮小部に後方から当接するようにすればよい。
【００２４】
ピストンロッドの前後方向の可動域を限定する外側筒状部材又は内側筒状部材を設ける場合、それら筒状部材は、任意の角度に回転できるものであってもよいが、回転角度を細かく且つ正しく規定するためには、所定の回転角度毎にそれら筒状部材が胴部との間でスナップ式に係合して止まるようにすることが好ましい。そのための具体的構成は任意であり、適宜に設定すればよいが、例えば、胴部又は外側（又は内側）筒状部材の一方に、長手方向の等間隔の窪みを形成しておき、他方にそれらの窪みに係合し脱係合することのできる、弾性的に支持された１個又は複数個の突起を設けておけばよい。筒状部材（又は胴部）に設けた突起を弾性的に支持するためには、例えば、突起の周囲で筒状部材（又は胴部）にスリットを入れて片持ち梁（カンチレバー）を形成すればよい。長手方向の窪みと突起との係合は、筒状部材（又は胴部）の材質に合わせ、手で筒状部材を回したときに突起を楽に脱係合させることができるが、回そうとしないときには係合したままにしておけるように設定しておけばよい。そのような弾性的に支持された突起の形状は適宜であってよいが、好ましい一例は、横断面が概略三角形のものである。
【００２５】
１本のプレフィルドシリンジから複数回に分けて反復注射を行う場合のためには、各回の注射液量を所定の値に設定できるように、適当な目盛りが注射器に付されていることが好ましい。例えば、注射器が、胴部にスロットを有しこれにピストンロッドから延びた突起が挿入されているものである場合、スロットに沿って目盛りを付しておけばよい。注射器が更に胴部の外側に螺合した筒状部材を含む場合、例えば、目盛りの筒状部材の後端の稜線を合わせることにより注射液量を設定することができる。更に、筒状部材の外周をｎ等分（例えば、５等分、１０等分、２０等分等）する目盛りを付し、スロットの中心線等所定位置にそれらの目盛りの何れかを合わせることにより、スロットに沿って付された目盛りとの組み合わせで更に細かい液量設定が可能である。それらの目盛りは、例えば、配列された複数の線分とそれらに付された数値とからなるものである。また、注射器が胴部の内側に螺合した筒状部材を含む場合、例えば、胴部に前後方向に配列した目盛りを付し、且つ筒状部材の特定部位（例えば筒所部材の先端の縁、又は筒状部材の外周面に付された線その他のマーク）が胴部の外側から見えるように（例えば、胴部にスリットを設けるか又は胴部を透明な材料で構成する等により）構成しておけばよい。その場合、目盛りの所望の位置に筒状部材の当該特定部位が一致するように筒状部材を回すことにより、所望の注射液量を設定することができる。
【実施例】
【００２６】
以下典型的な幾つかの実施例を参照して本発明を更に具体的に説明するが、本発明がそれらの具体例に限定されることは意図しない。
【００２７】
〔実施例１〕
図１は、ルアー先のプレフィルドシリンジの構成（注射液以外の）を示す側方分解図である。図において、１はシリンジ本体、２は合成ゴム製のガスケットであり、シリンジ本体１の開いた後端から液密に且つスライド可能に嵌め込まれる。３は合成ゴム製のノズルキャップであり、シリンジ本体１のルアーフィット方式の先端ノズル４に被せられる。プレフィルドシリンジは、内部に注射液が注入され前後はガスケット２及びノズルキャップ３でシールされた状態で市場に供給されている。
【００２８】
図２は、本発明の実施例１における、図１に示したプレフィルドシリンジの挿入による注射器の組立てを示す側方分解図である。先端ノズル４にノズルキャップ３が嵌められた状態のプレフィルドシリンジは、図に示すように、概略円筒状のシリンジ固定部材５と共にプレフィルドシリンジの後端側から注射器の胴部６（これは、断面円形の筒状である）に挿入される。シリンジ固定部材５は、後端側においてその外周面に雄ねじ７が設けられている。シリンジ固定部材５は、プレフィルドシリンジの先端側に、先端ノズル４及び先端キャップ３を突出させた形で嵌められると共に、雄ねじ７によって胴部６の先端側の内面に螺合される。胴部６には、ピストンロッド１０がスライド可能に挿入されている。図においてピストンロッド１０は、最も後退した位置にある。胴部６の側面には長手方向に延びた１対のスロット１２が形成されており、スロット１２内には、ピストンロッド１０から側方へ伸びた突起１４が入っている。胴部６には、その後端付近に、鍔の形態で側方へ突出した指掛け片１７が形成されている。ピストンロッド１０の後端部は、外径が拡大し円板状の親指当１０ｒが形成されている。
【００２９】
図３は、プレフィルドシリンジ１を胴部６内に挿入してシリンジ固定部材５で固定した状態の本実施例の注射器の、胴部６、シリンジ固定部材５及びつる巻きばね３０を断面図とした側面図を示す。図３において注射器は図２に示した位置から注射器の長手軸周りに９０°回転させてある。図３から明らかなように、プレフィルドシリンジ１を囲っているシリンジ固定部材５の雄ねじ７は、胴部１の先端側の内面に形成された雌ねじ１８と螺合している。シリンジ固定部材５は、先端側の縁において内方の隆起（環状の突出）２０を有しており、これがプレフィルドシリンジ１の先端部の外周縁付近の肩２２に係合して保持することにより、プレフィルドシリンジ１が前方へ抜けるのを防止している。プレフィルドシリンジ１の後端は、胴部６の内面に形成された環状突起２４に当接してその位置に止められている。環状突起２４には、ピストンロッド１０の側面も当接しており、環状突起２４は、ピストンロッド１０が前後にスライドするためのガイドとしても機能している。図に示されるように、この実施例では、ピストンロッド１０の中央付近の一部に外径拡大部２６を含んでいる。外径拡大部２６は、胴部６の内面に、摺動可能に接しており、胴部６に設けられた突起２４の内周面と協働して、前後にスライドするピストンロッド１０の軸を一定位置に維持している。また胴部の上下の１対のスロット１２内へそれぞれ延びる突起１４（この実施例では、外径拡大部２６を横断方向に貫いて固定された小棒）が挿入されており、突起１４は先端部においてスロット１２の後端に当接している。本実施例においては、スロット１２の後端と指掛け片の前面とはフラットな位置にあるが、突起１４の先端はスロット１２を幾分超えて突出しているから、スロット１２が一層後方へ延びスロット１２の後端が一層後方にあったとしても、やはり指掛け片１７の前面に当接して同じ位置に止められる。胴部６内には、ピストンロッド１０を囲んでつる巻きばね３０が配置されている。つる巻きばね３０は、その前端において、胴部６の内面に形成された環状突起２４の後面に当接し、後端においてピストンロッド１０の外径拡大部２６の前面に当接している。つる巻きばね３０は、ピストンロッド１０をその最も後方の位置へと付勢するに足る長さを有しており、従って、ピストンロッド１０を指で前方へと押していないときは、ピストンロッド１０は常にその最も後方の位置にある（注射液３１を閉じ込めているガスケット２とピストンロッド１０の先端との間に隙間があることに注意）。図４は、図３に示したＡ−Ａ’の位置における注射器の断面図である。
【００３０】
図５は、ピストンロッド１０の親指当て１０ｒを押してバネ３０を圧縮し、ピストンロッド１０を最も奥まで押し込んでプレフィルドシリンジ１内の注射液を排出し切った状態を示す注射器の、胴部６、シリンジ固定部材５及びつる巻きばね３０を断面図とした側面図である。ガスケット２がシリンジ本体１の前壁内面に当たって停止する位置までピストンロッド１０を押し込むことができるよう、スロット１２は、ピストンロッド１０が当該位置にガスケット２を押し込むに至るまでの突起１４の移動を許容するに十分な長さで前方へ延びている。プレフィルドシリンジの使用後は、シリンジ固定部材５を回して注射器の胴部６から外し、空のシリンジ本体１（中に嵌ったガスケットを含む）を取り出すことができる。このとき、ピストンロッド１０は、つる巻きばね３０の作用によって最も後方の位置に戻されている。プレフィルドシリンジ以外の部材は反復使用することができ、次の注射を行う際には新たなプレフィルドシリンジを胴部６に挿入し、シリンジ固定部材５で胴部に固定して、初回と全く同じ取り扱いにより注射を行えばよい。
【００３１】
〔実施例２〕
図６は、本発明の実施例２における、図１に示したプレフィルドシリンジの挿入による注射器の組立てを示す側方分解図である。本実施例においては、シリンジ固定部材５’は、ルアーロック方式の相手方接続器具に適応できるように、実施例１のシリンジ固定部材５の先端に一体化した雌ねじつきスリーブ３３を更に有している。シリンジ固定部材５’が雌ねじつきスリーブ３３を備えることを除き、本実施例は実施例１の注射器と同一である。図７は、プレフィルドシリンジ１を胴部６内に挿入してシリンジ固定部材５’で固定した状態の本実施例の注射器の、胴部６、シリンジ固定部材５’及びつる巻きばね３０を断面図とした側面図を示す。シリンジ固定部材５’の雌ねじつきスリーブ３３の雌ねじの内径は、ルアーの国際規格に合致するよう７ｍｍであり、また、シリンジ本体１の先端側の肩２２を保持するための内方の隆起（環状の突出）２０の内径も７ｍｍである。先端キャップ３の最大径も７ｍｍであり、従って、シリンジ固定部材５’は、先端キャップ３が取り付けられたプレフィルドシリンジに、後から無理なく被せて、先端キャップ３を、図７に示したように雌ねじつきスリーブ３３内に位置させることができる。本実施例の注射器は、シリンジ固定部材５’が雌ねじつきスリーブ３３を有することを除き、実施例１の注射器と同様である。
【００３２】
〔実施例３〕
図８は、本発明の実施例３の注射器における、プレフィルドシリンジ４１の構成を示す側方分解図である。本実施例においては、プレフィルドシリンジ４１は、実施例１及び２におけるプレフィルドシリンジとは異なって、ルアー形態の先端ノズル４を有さず、シリンジ本体４３は幅広の平坦な先端４５を有し、その中央に比較的小さい径の貫通穴４７を有する。先端４５には、その平坦な表面に合成ゴムの円板状の隔壁４９を密着させ、これに、シリンジを注射器の胴部に取り付けるための機構を備えたシリンジ固定部材５１を被せ、シリンジ固定部材５１の前壁の内面により、隔壁４９をシリンジ本体４３の先端４５にある貫通穴４７の周囲で強く挟み付けた状態で、シリンジ本体４３に（例えば接着により）固定される。こうして、プレフィルドシリンジ４１は、これに一体化したシリンジ固定部材５１を含んでいる。シリンジ固定部材５１の先端には、シリンジ本体４３の貫通穴４７に一致する位置にやはり貫通穴５９（図１０）が形成されており、隔壁４９の中央部はシリンジ固定部材５１の先端側に露出している。５２はガスケットであり、シリンジ本体４３の開いた後端から嵌められてシリンジ本体４３の内部に注射液を密封する。シリンジ固定部材５１には、側壁の後部の外周面に雄ねじ５５が形成されており、先端側の外周面にも雄ねじ５７が形成されている。
【００３３】
図９は、本実施例における、図８に示したプレフィルドシリンジ４１の挿入による注射器の組立てを示す側方分解図である。図において、注射液の充填されたプレフィルドシリンジ４１は、その後端側から注射器の胴部６（実施例１及び２のものと同一である）に挿入され、雄ねじ５５により胴部６の先端部に螺着することにより固定される。プレフィルドシリンジ４１が胴部６に固定された後、その先端にキャップ６０が被せられ、プレフィルドシリンジ４１の先端に対して右ねじ方向に回される。キャップ６０の内部には、中心軸に沿った両頭針６１を備えた雌ねじ付の内側キャップ６２（図１０）が、回転方向に係合する関係で装着されており、キャップ６０と共に回転してプレフィルドシリンジの先端部の雄ねじ５７に螺合し、プレフィルドシリンジ４１と結合する。このとき、内側キャップ６２の両頭針６１の後端は、プレフィルドシリンジ４１の隔壁４９を刺入してプレフィルドシリンジ４１の内部を外部と連通する。
【００３４】
図１０は、こうして組み立てた後キャップ６０を除去した状態の注射器の側方断面図である。図１０において、注射器は図９に示した位置から注射器の長手軸周りに９０°回転させてある。図から明らかなように、両頭針６１は内側キャップ６２の先端に前後方向に向けて取り付けられており、両頭針６１の先端は注射器の先端方向へ延び、両頭針６１の後端は、プレフィルドシリンジ４１の一部をなすシリンジ固定部材５１の先端の貫通穴５９を通って隔壁４９を貫通し、シリンジ本体４３の貫通穴４７内に位置している。これにより、プレフィルドシリンジ４１の内部は外部に連通し、注射器は今や注射の準備が完了しており、使用者は、両頭針６１の先端を身体（例えば皮下）に刺入し、ピストンロッド１０を押し込むことにより注射を行うことができる。注射後は、空のプレフィルドシリンジ４１を回して注射器の胴部５から取り外すことができる。このとき、ピストンロッド１０は、つる巻きばね３０の作用によって最も後方の位置に戻されている。次の注射を行う際には新たなプレフィルドシリンジ４１を注射器の胴部６に挿入し、シリンジ固定部材５１で胴部に固定して、初回と全く同じ取り扱いにより注射を行えばよい。
【００３５】
〔実施例４〕
図１１は、本発明の実施例４の注射器の、一部を断面とした側面図を示す。図において、４１は実施例３におけるのと同じプレフィルドシリンジ４１である。６５は、注射器の胴部であり、基本的な構造は実施例１ないし３におけるのと同様であるが、本実施例の胴部６５は、外周に雄ねじ６７を備えている。雄ねじ６７は、１対のスロット１２上及びその両側に沿ってねじ山が除かれている。雄ねじ６７上には、雌ねじ６８を有する筒状部材である液量調節部材６９が螺合している。液量調節部材６９は断面で示されている。液量調節部材６９は、図において当該部材がとりうる最も後方の位置にあり、胴部６５の周りに手で回すことにより、雄ねじ６７及び雌ねじ６８に従い、図の位置から前方へ移動させることができる。スロット１２に沿って数字付きの目盛り７０が付されている。
【００３６】
図１２は、本発明の実施例４の注射器の、図１１に示したのと同じ状態における側方断面図である。図１２において、注射器は図１１に示した位置から注射器の長手軸周りに９０°回転させてある。図に見られるように、液量調節部材６９の後端には、ピストンロッド１０からスロット１２を通って突出した突起１４の先端が当接しているため、ピストンロッド１０はそれ以上前方へ押し込まれることがない。しかしながら、液量調節部材６９を手で回して前方へ移動させると、液量調節部材６９はその分だけ前方へ移動して突起１４から離れ、ピストンロッド１０は、突起１４が液量調節部材６９に再び当接するまので距離、すなわち液量調節部材６９の移動距離だけ、手で前方へ押し込むことができる。従って、筒状部材６９は、ピストンロッド１０の前進距離を制御する可変のストッパーとして機能してピストンロッドの可動域を決定し、それにより注射器から押し出される液量を調節するための手段として用いることができる。
【００３７】
図１３は、両頭針６１を取り付け、液量調節部材６９を回してその後端を目盛り「．３」に合わせ、ピストンロッド１０を、止まるまで押し込んだ状態を示す、一部（すなわち液量調節部材６９）を断面とした側面図である。ピストンロッド１０から延びている突起１４は、液量調節部材６９の後端に当接しており、その位置で更なる前進は阻止されている。これにより、それまでのピストンロッド１０の押し込み距離に対応した液量の注射液のみを注射することができる。図に示した実施例では、液量調節部材は、さらにその後端が目盛り「．５」と重なるまで回して前進させることができ、図１４はその状態を示す側面図である。
【００３８】
〔実施例５〕
図１５は、本発明の実施例５の注射器（両頭針を取り付ける前の状態）の一部を断面とした側面図を示す。本実施例の注射器は、実施例４のそれの変形であり、液量調節部材６９’が所定の回転角度毎にスナップ係合して止まることができるように構成されている。このために、本実施例においては、液量調節部材６９’の内周面には円周を２０等分する（２０本の）長手方向窪み７５が形成されており、また、これに脱係合可能に係合する弾性的に支持された横断面概略三角形状の突起７７が、注射器の胴部６５’に形成されている。突起７７は、胴部６５’の壁にコの字形のスリット７９を入れることによって形成された幅広のカンチレバー８０上に形成されている。胴部６５’は硬質のプラスチック製であるが僅かであれば弾性的に撓むことができるため、液量調節部材６９’を手で回すとき１／２０回転毎に、長手方向窪み７５内に一時的にスナップ式に嵌ってその回転角度で液量調節部材６９’を安定化する。液量調節部材６９’を更に手で回すときは、僅かな抵抗を伴って突起７７はそのときに係合している長手方向窪みの１つから脱し、隣の長手方向窪みと移行してこれに新たに係合する。従って、液量調節部材６９’の回転角度は常に設定された回転角度の何れかとなることが保証され、回転角度にブレが生じるのが防止される。図において、液量調節部材６９’の後端は目盛り「０」に調節されている。図１６は、図１５に示した状態の本実施例の注射器の断面図であり、図において注射器は図１５に示した位置から注射器の長手軸周りに９０°回転させてある。図１７は、本実施例の注射器の、突起７７を通る拡大した横断面図である。
【００３９】
図１８は、本実施例の注射器の、両頭針を取り付け、スロット１２に沿って付された最終目盛り「．５」でピストンロッド１０が停止するまで注射をしたときの、ピストンロッド１０を指で押したままの状態の側面図である。図から明らかなように、液量調節部材６９’の外周面には、円周を２０等分してメモリが０から１９まで付されている。この目盛りの各々は、液量調節部材６９’の長手方向窪み７５と突起７７との係合位置に対応しており、各係合位置において、目盛りの何れかがスロット１２の中心線上に位置するように相互の位置関係が調整されている。液量調節部材６９’の一回転は、液量調節部材６９’に形成された雌ねじの（また、胴部６５’に形成された雄ねじの６７’）のピッチに対応しており、このピッチはまた胴部６５’のスロット１２に沿って付された目盛りの各々の間隔に一致している。従って、スロット１２に沿った目盛りと、液量調節部材６５’の外周に付された目盛りとの組み合わせを用いて、ピストンロッド１０の押し込み位置を、従ってこれに対応する注射液量を、細かく且つ正確に指定することができる。
【００４０】
〔実施例６〕
図１９は、本発明の実施例６の注射器（両頭針を取り付ける前の状態）の側面図を示す。本実施例の注射器は、実施例１〜５とは異なり、胴部のスロット１２も、ピストンロッドから延びてスロット１２内に入る突起１４も有しない。代わりに、本実施例の注射器は、胴部８３に内側から螺合し胴部８３の後端よりも後方へと延びた概略筒状の部材である液量調節部材８５を備えている。８６は、液量調節部材８５の外周面に設けられた雄ネジである。胴部の後部には、摘み部８７が形成されておりこれを手で回すことができる。液量調節部材８５内には、ピストンロッド１０が通されており、ピストンロッドの後端の親指宛て１０ｒは、液量調節部材８５より後方へ突出している。胴部８３は透明な硬質プラスチック製であり、液量調節部材８５の先端８８は、胴部８３を通して外側から見えている。胴部８３の外周面（又は内周面）には、円周方向に配列された等間隔の目盛りが付されている。
【００４１】
図２０は、図１９に示した状態の本実施例の、長手軸方向に９０°回転した状態の断面図である。図に見られるように、ピストンロッド１０は、液量調節部材８５を通り、先端がプレフィルドシリンジ４１のガスケット５２の後方に位置している。ピストンロッドの先端部１０ｈは、外径が拡大しており、胴部８３の内面に形成された内方への環状突起９０の前側の縁に係合することにより、両者で、それより後方へのピストンロッドのスライドを阻止する後方ストッパーとして機能している。胴部８３の後端付近には、液量調節部材８５の雄ねじ８６と螺合する雌ねじ９２が形成されている。液量調節部材８５の内面は、ピストンロッドを前後に摺動させるためのガイド面を提供する平滑な円筒面９４が形成されている。本実施例では、ピストンロッド１０の中央付近に、この円筒面９４と接する環状突起９６が形成されている。液量調節部材８５は、先端側に外方へ向いた１対の突起９８を有している。これらの突起９８は、横断面上で概略三角形状の先端を有しており、胴部８３の内面に形成された、円周を２０等分する（２０本の）長手方向窪み１００内にスナップ式に係合している。液量調節部材８５には、突起９８の両側で長手方向に、突起９８の長さを超える長さのスリットが入れられており、それにより形成された弾性的に撓むことのできるカンチレバー上に、突起９８は位置している。従って、実施例５の場合と同様に、液量調節部材８５の１／２０回転毎に、長手方向窪み１００内に一時的にスナップ式に嵌ってその回転角度で液量調節部材８５を安定化する。液量調節部材８５を更に手で回すときは、僅かな抵抗を伴って突起９８は最初に係合している長手方向窪みの１つから脱し、隣の長手報告窪みに移行してこれに新たに係合する。従って、液量調節部材８５の回転角度は常に設定された回転角度の何れかとなることが保証され、回転角度にブレが生じるのが防止される。液量調節部材８５は、こうして所望の回転角度に、従って所望の前後位置に安定して留めておくことができる。液量調節部材８５は、円筒面９４の前方において、内面が内方へ突出して内径縮小部８４を形成しており、内径縮小部８４は、ピストンロッド１０を前方へ押すとき、ピストンロッドの環状突起９６と当接してそれ以上の前進を阻止する。所望の位置にセットされた液量調節部材８５は、こうして、ピストンロッド１０の前方への可動域を所望の範囲に限定し、それにより注射器からの排出液量を規定する。ピストンロッド１０の環状突起９６と胴部８５の環状突起９０の間には、ピストンロッド１０を中に通して、つる巻きばね３０が配置されており、ピストンロッド１０を後方へ付勢している。
【００４２】
図２１は、本実施例の注射器に両頭針を取り付けて、胴部８５に付された目盛り「．３」に先端８８が一致するまで液量調節部材８５を回して前進させ、ピストンロッド１０を止まるまで押した状態を示す側面図である。これにより、ピストンロッド１０は、その最も後方の位置（ピストンロッドの先端部１０ｈと環状突起９０の係合によって規定される）から、液量調節部材８５によって阻止される深さまで押し込まれ、所定量の注射液が確実に排出される。
【産業上の利用可能性】
【００４３】
本発明は、プレフィルドシリンジからの注射を簡便に行うことのできる反復使用可能な注射器として有用である。また、プレフィルドシリンジからの微量な液量に分けた反復注射において、液量の設定を容易に行うことのできる反復使用可能な注射器としても有用である。
【図面の簡単な説明】
【００４４】
【図１】ルアー先のプレフィルドシリンジの構成（注射液以外の）を示す側方分解図
【図２】図１に示したプレフィルドシリンジの挿入による注射器の組立てを示す側方分解図
【図３】プレフィルドシリンジを胴部内に挿入してシリンジ固定部材で固定した状態の注射器の、一部を断面図とした側面図
【図４】図３に示した注射器のＡ−Ａ’断面図
【図５】ピストンロッド奥まで押し込んで注射液を排出し切った状態を示す注射器の、一部を断面図とした側面図
【図６】実施例２における、図１のプレフィルドシリンジの挿入による注射器の組立てを示す側方分解図
【図７】実施例２における、プレフィルドシリンジを胴部内に挿入してシリンジ固定部材で固定した状態の、一部を断面図とした側面図
【図８】実施例３の注射器における、プレフィルドシリンジの構成を示す側方分解図
【図９】実施例３における、プレフィルドシリンジの挿入による注射器の組立てを示す側方分解図
【図１０】組み立てた後キャップを除去した状態の注射器の側方断面図
【図１１】実施例４における注射器の、一部を断面とした側面図
【図１２】実施例４の注射器の、図１１に示した状態における側方断面図
【図１３】両頭針を取り付けて、液量調節部の後端を目盛り「．３」に合わせピストンロッドを止まるまで押し込んだ状態を示す一部側面図
【図１４】図１３に示した状態の注射器の側面図
【図１５】実施例５の注射器（両頭針を取り付ける前の状態）の一部を断面とした側面図
【図１６】図１５に示した状態の注射器の断面図
【図１７】実施例５の注射器の、長手方向窪みに係合する突起を通る拡大した横断面図
【図１８】実施例５の注射器の、両頭針を取り付け、最終目盛り「．５」でピストンロッド１０が停止するまで押した状態の側面図
【図１９】実施例６の注射器（両頭針を取り付ける前の状態）の側面図
【図２０】実施例６の注射器の断面図
【図２１】実施例６の注射器のピストンロッドを押し、目盛り「．３」に先端が一致するまで液量調節部材を前進させた状態を示す側面図
【符号の説明】
【００４５】
１＝シリンジ本体、２＝ガスケット、３＝ノズルキャップ、４＝先端ノズル、５、５’＝シリンジ固定部材、６＝胴部、７＝雄ねじ、１０＝ピストンロッド、１０ｈ＝先端部、１０ｒ＝親指当て、１２＝スロット、１４＝突起、１８＝雌ねじ、２０＝隆起、２２＝肩、２４＝環状突起、２６＝外径拡大部、３０＝つる巻きばね、３１＝注射液、３３＝雌ねじつきスリーブ、４１＝プレフィルドシリンジ、４３＝シリンジ本体、４５＝先端、４７＝貫通穴、４９＝隔壁、５１＝シリンジ固定部材、５５＝雄ねじ、５７＝雄ねじ、６０＝キャップ、６１＝両頭針、６２＝内側キャップ、６５、６５’＝胴部、６７＝雄ねじ、６８＝雌ねじ、６９、６９’＝液量調節部材、７０＝目盛り、７５＝長手方向窪み、７７＝突起、７９＝スリット、８０＝カンチレバー、８３＝胴部、８５＝液量調節部材、８６＝雄ねじ、８８＝先端、９０＝環状突起、９２＝雌ねじ、９４＝円筒面、９６＝環状突起、９８＝突起、１００＝長手方向窪み、
【図１】
2007159717.tif 000003
【図２】
2007159717.tif 000004
【図３】
2007159717.tif 000005
【図４】
2007159717.tif 000006
【図５】
2007159717.tif 000007
【図６】
2007159717.tif 000008
【図７】
2007159717.tif 000009
【図８】
2007159717.tif 000010
【図９】
2007159717.tif 000011
【図１０】
2007159717.tif 000012
【図１１】
2007159717.tif 000013
【図１２】
2007159717.tif 000014
【図１３】
2007159717.tif 000015
【図１４】
2007159717.tif 000016
【図１５】
2007159717.tif 000017
【図１６】
2007159717.tif 000018
【図１７】
2007159717.tif 000019
【図１８】
2007159717.tif 000020
【図１９】
2007159717.tif 000021
【図２０】
2007159717.tif 000022
【図２１】
2007159717.tif 000023